(57)【要約】【課題】光ファイバーを用いた照明装置において、光ファイバーの出力端の位置を容易に変更できるようにする。【解決手段】照明装置１は、光ファイバー３を出し入れ自在に収納する筒体４と、筒体４の下端部４ａに着脱自在に取り付けられ、取り付けられた該筒体４を支持する筒体支持部５と、筒体４の上端部４ｂ付近に設けられ、上端部４ｂ付近で光ファイバー３の出力端３ａ付近を着脱自在に固定する光ファイバー固定部６とを備える。筒体４が筒体支持部５に着脱自在に取り付けられ、且つ、光ファイバー３の出力端３ａが光ファイバー固定部６に着脱自在に固定されているので、筒体４を交換することが可能となる。このため、長さや形状の異なる筒体を複数用意することで、簡単に光ファイバー３の出力端３ａの位置を変更することができ、多様な大きさの被照射物に対応することができる。【選択図】図５
2006294520.tif 000002
【特許請求の範囲】
【請求項１】
光源からの光を導光させる光ファイバーを用いた照明装置であって、
前記光ファイバーを出し入れ自在に収納する筒体と、
前記筒体の一方の端部に着脱自在に取り付けられ、取り付けられた該筒体を支持する筒体支持部と、
前記筒体の他方の端部付近に設けられ、該端部付近で前記光ファイバーの光出力側の端部付近を着脱自在に固定する光ファイバー固定部と、を備えたことを特徴とする照明装置。
【請求項２】
光源からの光を導光させる光ファイバーを用いた照明装置であって、
前記光ファイバーを出し入れ自在に収納する筒体と、
前記筒体の一方の端部に取り付けられ、取り付けられた該筒体を支持する筒体支持部と、
前記筒体の他方の端部付近に設けられ、該端部付近で前記光ファイバーの光出力側の端部付近を固定する光ファイバー固定部とを備え、
前記筒体は、互いに径の異なる複数の筒を入れ子状に組み合わせて形成されており、且つ、該筒体が高さ方向に伸縮自在となるように、径の小さな筒を径の大きな筒から引き出した状態で固定自在に保持する筒保持部を有することを特徴とする照明装置。
【請求項３】
光源からの光を導光させる光ファイバーを用いた照明装置であって、
前記光ファイバーを出し入れ自在に収納する筒体と、
前記筒体の一方の端部に取り付けられ、取り付けられた該筒体を支持する筒体支持部と、
前記筒体の他方の端部付近に設けられ、該端部付近で前記光ファイバーの光出力側の端部付近を固定する光ファイバー固定部とを備え、
前記筒体が高さ方向に伸縮自在及び／又は半径方向に屈曲自在となるように、該筒体が蛇腹構造を有することを特徴とする照明装置。
【請求項４】
前記筒体の他方の端部が閉じられていることを特徴とする請求項１に記載の照明装置。
【発明の詳細な説明】
【技術分野】
【０００１】
本発明は、例えば、美術館や博物館などの展示ショーケースの照明などに用いるのに好適な照明装置に関する。
【背景技術】
【０００２】
従来から、例えば、展示ショーケースの照明用に、光源からの光を導光させる光ファイバーを用いた照明装置が使用されている（例えば、特許文献１参照）。このような照明装置は、光源を有する光源ボックスと、該光源ボックスに接続される光ファイバーと、光ファイバーを収納すると共に、光ファイバーの光出力側の端部（以下、出力端という）を所定位置で保持する筒体と、この筒体を固定し、支持する筒体支持部とを備えている。
【０００３】
しかしながら、このような従来の照明装置では、光ファイバーを収納する筒体は簡単には取り外せないように筒体支持部に固定されており、また、光ファイバーの出力端は筒体に固定されていたため、光ファイバーの出力端の位置を変更することができないという問題があった。このため、被照射物の大きさに応じて光ファイバーの出力端の位置を変更することができず、被照射物の大きさによっては適切な照明効果が得られない虞があった。
【０００４】
一方、光ファイバーを内蔵する筒体と、この光ファイバーと光源ボックスに接続された光ファイバーを接続した状態で、上記筒体を着脱自在に支持する筒体支持部とを備えた照明装置が知られている。このような照明装置は、光ファイバーを内蔵した筒体を、長さの異なる筒体に交換することで、光ファイバーの出力端を任意の高さに調整することが可能となる。
【特許文献１】特開２００２−４２５０５号公報
【発明の開示】
【発明が解決しようとする課題】
【０００５】
しかしながら、このような照明装置は、光ファイバーを内蔵する筒体が高価であり、且つ、必要寸法のものを数種類揃える必要があるため、経済性が悪いという問題があった。また、筒体に内蔵された光ファイバーと光源ボックスに接続された光ファイバーの接続部分で光量ロスが大きくなるため、照明装置の照射光量が低下するという問題があった。
【０００６】
本発明は、かかる点に鑑みてなされたものであり、多様な大きさの被照射物に対応できるように光ファイバーの出力端の位置を容易に変更できるようにし、照射光量を低下させる虞がなく、且つ、経済性に優れた照明装置を提供することを目的とする。
【課題を解決するための手段】
【０００７】
上記目的を達成するために請求項１の発明は、光源からの光を導光させる光ファイバーを用いた照明装置であって、前記光ファイバーを出し入れ自在に収納する筒体と、前記筒体の一方の端部に着脱自在に取り付けられ、取り付けられた該筒体を支持する筒体支持部と、前記筒体の他方の端部付近に設けられ、該端部付近で前記光ファイバーの光出力側の端部付近を着脱自在に固定する光ファイバー固定部と、を備えたことを特徴とする。
【０００８】
請求項２の発明は、光源からの光を導光させる光ファイバーを用いた照明装置であって、前記光ファイバーを出し入れ自在に収納する筒体と、前記筒体の一方の端部に取り付けられ、取り付けられた該筒体を支持する筒体支持部と、前記筒体の他方の端部付近に設けられ、該端部付近で前記光ファイバーの光出力側の端部付近を固定する光ファイバー固定部とを備え、前記筒体は、互いに径の異なる複数の筒を入れ子状に組み合わせて形成されており、且つ、該筒体が高さ方向に伸縮自在となるように、径の小さな筒を径の大きな筒から引き出した状態で固定自在に保持する筒保持部を有することを特徴とする。
【０００９】
請求項３の発明は、光源からの光を導光させる光ファイバーを用いた照明装置であって、前記光ファイバーを出し入れ自在に収納する筒体と、前記筒体の一方の端部に取り付けられ、取り付けられた該筒体を支持する筒体支持部と、前記筒体の他方の端部付近に設けられ、該端部付近で前記光ファイバーの光出力側の端部付近を固定する光ファイバー固定部とを備え、前記筒体が高さ方向に伸縮自在及び／又は半径方向に屈曲自在となるように、該筒体が蛇腹構造を有することを特徴とする。
【００１０】
請求項４の発明は、請求項１に記載の照明装置において、前記筒体の他方の端部が閉じられていることを特徴とする。
【発明の効果】
【００１１】
請求項１に記載の照明装置よれば、光ファイバーを出し入れ自在に収納する筒体が筒体支持部に着脱自在に取り付けられ、且つ、光ファイバーの出力端が光ファイバー固定部に着脱自在に固定されているので、筒体を交換することが可能となる。このため、長さや形状の異なる筒体を複数用意することで、簡単に光ファイバーの出力端の位置を変更することができ、多様な大きさの被照射物に対応することができる。
【００１２】
また、筒体を交換する際、安価な筒体のみを交換し、筒体内部に収納される光ファイバーは交換しないので、経済的にも有利である。さらに、光源から引き出された光ファイバーを他の光ファイバーに接続する必要がないので、光ファイバー同士の接続により生じる照射光量の低下もない。
【００１３】
請求項２に記載の照明装置よれば、筒体は、互いに径の異なる複数の筒を入れ子状に組み合わせて形成されており、且つ、筒体が高さ方向に伸縮自在となるように、径の小さな筒を径の大きな筒から引き出した状態で固定自在に保持する筒保持部を有するので、光ファイバーの出力端を任意の高さに配置させることができる。このため、筒体を伸縮させることで、簡単に光ファイバーの出力端の位置を変更することができ、多様な大きさの被照射物に対応することができる。
【００１４】
請求項３に記載の照明装置よれば、筒体が、高さ方向に伸縮自在及び／又は半径方向に屈曲自在になるような蛇腹構造を有するので、光ファイバーの出力端を任意の位置に配置させることができる。このため、筒体を伸縮及び／又は屈曲させることで、簡単に光ファイバーの出力端の位置を変更することができ、多様な大きさの被照射物に対応することができる。
【００１５】
請求項４に記載の照明装置よれば、筒体の他方の端部が閉じられているので、この端部から照明光がでないようにすることができる。このため、例えば、１つの光源から複数の光ファイバーで導光させる場合など、その一部の照明光のみを消すことができる。
【発明を実施するための最良の形態】
【００１６】
本発明の第１の実施形態に係る照明装置について説明する。図１に示されるように、照明装置１は、光源ボックス２に収納された光源からの光を導光させる光ファイバー３を用いた装置である。照明装置１は、光ファイバー３を出し入れ自在に収納する筒体４と、筒体４の下端部（一方の端部）４ａに着脱自在に取り付けられ、取り付けられた筒体４を支持する筒体支持部５と、筒体４の上端部（他方の端部）４ｂ付近に設けられ、上端部４ｂ付近で光ファイバー３の光出力側の端部（以下、出力端という）３ａ付近を着脱自在に固定する光ファイバー固定部６と、を備えている。なお、符号７、符号９、及び符号１０については後述する。
【００１７】
図２に示されるように、光ファイバー固定部６はリング状に形成されており、光ファイバー３の外径と略同じか若干小さい内径を有し、筒体４の外径と略同じ外径を有している。なお、図２は、筒体４の上端部４ｂ付近を、図１に示した方向Ａから見た図である。光ファイバー固定部６は、光ファイバー３の出力端３ａ付近に嵌合されて、筒体４の上端部４ｂに載置される。光ファイバー固定部６は、筒体４の外径と略同じか若干小さい内径を有する円筒状の端末部材７を筒体４の上端部４ｂに被せることにより、上端部４ｂに保持される。
【００１８】
また、端末部材７の内部にはレンズ８が収納されている。レンズ８は、その下端が光ファイバー３の出力端３ａに接続された状態で、端末部材７に保持されている。また、図２及び図３に示されるように、端末部材７の先端部付近には、光ファイバー３から出力された光を反射するための反射板９が、傾動自在に取り付けられている。
【００１９】
図４に示されるように、筒体支持部５は、照明装置１が取り付けられる板１０に形成された取付孔１０ａにナット１１等を用いて固定される。また、筒体４の下端部４ａには、受け金具１２が固定されており、筒体４の下端部４ａは、この受け金具１２を介して、筒体支持部５に取り付けられる。なお、必ずしも受け金具１２を用いる必要はなく、筒体４の下端部４ａを直接、筒体支持部５に取り付ける構造にしてもよい。
【００２０】
次に、照明装置１から筒体４を取り外す際の手順を、図５を参照して説明する。ユーザは、まず、筒体４の上端部４ｂから端末部材７を取り外し、光ファイバー固定部６をむきだしにする。そして、光ファイバー３に嵌合されている光ファイバー固定部６を取り外し、光ファイバー３の出力端３ａが筒体４を通り抜けられるようにする。そして、このような状態で、筒体４を筒体支持部５から引き抜いて筒体４を光ファイバー３から取り外す。
【００２１】
図６は、上述した手順により図１に示される筒体４を取り外し、同手順と逆の手順で、筒体４より背の低い筒体１４を取り付けて、光ファイバー３の出力端３ａの高さ方向Ｘの位置を変更した例を示している。
【００２２】
このように本実施形態の照明装置１よれば、光ファイバー３を出し入れ自在に収納する筒体４が筒体支持部５に着脱自在に取り付けられ、且つ、光ファイバー３の出力端３ａが光ファイバー固定部６に着脱自在に固定されているので、筒体４を交換することが可能となる。このため、長さや形状の異なる筒体を複数用意することで、簡単に光ファイバー３の出力端３ａの位置を変更することができ、多様な大きさの被照射物に対応することができる。
【００２３】
また、筒体４を交換する際、安価な筒体４のみを交換し、筒体４内部に収納される光ファイバー３は交換しないので、経済的にも有利である。さらに、光源ボックス２から引き出された光ファイバー３を他の光ファイバーに接続する必要がないので、光ファイバー同士の接続により生じる照射光量の低下もない。
【００２４】
次に、本発明の第２の実施形態に係る照明装置について説明する。図７及び図８に示されるように、本実施形態の照明装置１は、筒体２４が伸縮自在である点で第１の実施形態と異なる。
【００２５】
照明装置１は、第１の実施形態と同様、光ファイバー３を出し入れ自在に収納する筒体２４と、筒体２４の下端部２４ａに取り付けられて筒体２４を支持する筒体支持部５と、筒体２４の上端部２４ｂ付近で、光ファイバー３の出力端３ａ付近を固定する光ファイバー固定部６とを備えている。
【００２６】
筒体２４は、互いに径の異なる複数の筒２１，２２を入れ子状に組み合わせて形成されている。また、筒体２４は、高さ方向Ｘに伸縮自在となるように、径の小さな筒２１を径の大きな筒２２から引き出した状態で固定自在に保持する筒保持部２３を有している。光ファイバー固定部６に取り付けられた光ファイバー３は、筒体２４の伸縮に合わせて出力端３ａの位置を変化させることができる。筒保持部２３の構造は特に限定されるものではなく、伸縮自在な棒などに利用されている公知の固定構造を用いることができる。
【００２７】
なお、本実施形態においては、筒体２４は筒体支持部５に対して必ずしも着脱自在である必要はなく、また、光ファイバー３も光ファイバー固定部６に対して必ずしも着脱自在である必要はないが、これらを着脱自在とすることで筒体２４を交換可能とし、光ファイバー３の出力端３ａの配置の自由度を更に高めることができる。
【００２８】
このように本実施形態の照明装置１よれば、筒体２４は、互いに径の異なる複数の筒２１，２２を入れ子状に組み合わせて形成されており、且つ、筒体２４が高さ方向Ｘに伸縮自在となるように、径の小さな筒２１を径の大きな筒２２から引き出した状態で固定自在に保持する筒保持部２３を有するので、光ファイバー３の出力端３ａを任意の高さに配置させることができる。このため、筒体２４を伸縮させることで、簡単に光ファイバー３の出力端３ａの位置を変更することができ、多様な大きさの被照射物に対応することができる。
【００２９】
次に、本発明の第３の実施形態に係る照明装置について説明する。図９及び図１０に示されるように、本実施形態の照明装置１は、筒体３４が蛇腹構造を有する点で他の実施形態と異なる。
【００３０】
照明装置１は、第１の実施形態と同様、光ファイバー３を出し入れ自在に収納する筒体３４と、筒体３４の下端部３４ａに取り付けられて筒体３４を支持する筒体支持部５と、筒体３４の上端部３４ｂ付近で、光ファイバー３の出力端３ａ付近を固定する光ファイバー固定部６とを備えている。
【００３１】
筒体３４は、高さ方向Ｘに伸縮自在及び／又は半径方向Ｙに屈曲自在となるように蛇腹構造を有している。このような筒体４として、例えば、金属素材等を用いたフレキシブルチューブ等を用いることができる。光ファイバー固定部６に取り付けられた光ファイバー３は、筒体３４の伸縮及び／又は屈曲に合わせて出力端３ａの位置を変化させることができる。
【００３２】
なお、本実施形態においても、筒体３４は筒体支持部５に対して必ずしも着脱自在である必要はなく、また、光ファイバー３も光ファイバー固定部６に対して必ずしも着脱自在である必要はないが、これらを着脱自在とすることで筒体３４を交換可能とし、光ファイバー３の出力端３ａの配置の自由度を更に高めることができる。
【００３３】
このように本実施形態の照明装置１よれば、筒体３４が、高さ方向Ｘに伸縮自在及び／又は半径方向Ｙに屈曲自在になるような蛇腹構造を有するので、光ファイバー３の出力端３ａを任意の位置に配置させることができる。このため、筒体３４を伸縮及び／又は屈曲させることで、簡単に光ファイバー３の出力端３ａの位置を変更することができ、多様な大きさの被照射物に対応することができる。
【００３４】
次に、本発明の第４の実施形態に係る照明装置について説明する。図１１に示されるように、本実施形態の照明装置１は、筒体４４の上端部４４ｂが閉じられている点で第１の実施形態と異なる。また、筒体４４と光ファイバー保持部とが一体的に形成されており、筒体４４全体が、光ファイバー３の出力端３ａ付近を着脱自在に固定する光ファイバー固定部として機能する。筒体４４は、下端部４４ａから挿入された光ファイバー３と嵌合した状態で、筒体支持部５に収納される。
【００３５】
図１２に示されるように、本実施形態の照明装置１は、例えば、１つの光源ボックス４２から複数の光ファイバー３，４３で導光させる場合などの用途で用いることが可能である。同図左側の光ファイバー３は、第１の実施形態で説明した筒体４により収納されており、同図右側の光ファイバー４３は、本実施形態の特徴を有する筒体４４により収納されている。
【００３６】
このように本実施形態の照明装置１よれば、筒体４４の上端部４４ｂが閉じられているので、上端部４４ｂから照明光がでないようにすることができる。このため、例えば、１つの光源ボックス４２から複数の光ファイバー３，４３で導光させる場合など、その一部の照明光のみを消すことができる。
【００３７】
本発明は上記実施形態の構成に限られることなく、発明の趣旨を変更しない範囲で種々の変形が可能である。
【図面の簡単な説明】
【００３８】
【図１】本発明の第１の実施形態に係る照明装置の平面図。
【図２】同照明装置の筒体の上端部付近の部分断面図。
【図３】同筒体の上端部付近の平面図。
【図４】同筒体の下端部付近の部分断面図。
【図５】同照明装置を分解した平面図。
【図６】同照明装置の筒体を交換した状態を示す平面図。
【図７】本発明の第２の実施形態に係る照明装置の平面図。
【図８】同照明装置の筒体を縮めた状態を示す平面図。
【図９】本発明の第３の実施形態に係る照明装置の平面図。
【図１０】同照明装置の筒体を伸ばした状態を示す平面図。
【図１１】本発明の第４の実施形態に係る照明装置の筒体付近の部分断面図。
【図１２】同照明装置の使用例を説明する平面図。
【符号の説明】
【００３９】
１    照明装置
２    光源ボックス
３，４３  光ファイバー
４，１４，２４，３４，４４  筒体
５    筒体支持部
６    光ファイバー固定部
２１，２２  筒
２３  筒保持部
４ａ，２４ａ，３４ａ，４４ａ  下端部（一方の端部）
４ｂ，２４ｂ，３４ｂ，４４ｂ  上端部（他方の端部）
【図１】
2006294520.tif 000003
【図２】
2006294520.tif 000004
【図３】
2006294520.tif 000005
【図４】
2006294520.tif 000006
【図５】
2006294520.tif 000007
【図６】
2006294520.tif 000008
【図７】
2006294520.tif 000009
【図８】
2006294520.tif 000010
【図９】
2006294520.tif 000011
【図１０】
2006294520.tif 000012
【図１１】
2006294520.tif 000013
【図１２】
2006294520.tif 000014